(57)【要約】      （修正有）【課題】電子機器ユニットの放熱性能を向上させると共に、該ユニットの簡素化を図ることで部品点数の削減及び取付け工数の低減を可能とする電子機器ユニットの構造を提供する。【解決手段】筐体１に実装される電子機器ユニット８であって、該電子機器ユニットの少なくとも上面に形成された通風孔１２と、少なくとも上面側縁部に設けられ、前記筐体側のレール受けと嵌合するレール部２２とを具備する。【選択図】図１
2011249443.tif 000002
【特許請求の範囲】
【請求項１】
筐体に実装される電子機器ユニットであって、該電子機器ユニットの少なくとも上面に形成された通風孔と、少なくとも上面側縁部に設けられ、前記筐体側のレール受けと嵌合するレール部とを具備することを特徴とする電子機器ユニットの構造。
【発明の詳細な説明】
【技術分野】
【０００１】
本発明は、電子機器の筐体に実装される電子機器ユニット、特に装脱用のガイドレールが設けられた電子機器ユニットの構造に関するものである。
【背景技術】
【０００２】
先ず、図１０〜図１２に於いて、従来の筐体及び該筐体に実装される電子機器ユニットの構造について説明する。尚、図１０に於いて、電子機器ユニットの装脱方向を前後方向、装脱方向に対して手前が前、装脱方向に対して右側を右とする。
【０００３】
筐体１は両側板２，２、棚板３、天板４により構成され、前面、背面が開放された箱体であり、前記両側板２，２、棚板３、天板４には鉄板等の金属板が用いられている。又、前記天板４及び前記棚板３には前後方向に延びるレール受け６，７が相対向する様取付けられ、該レール受け６，７を介して複数のユニット８が実装できる様になっている。尚、背面には図示しないバックボードが取付けられ、前記ユニット８を実装することで、バックボードに設けられたコネクタ（図示せず）を介して前記ユニット８が前記筐体１と接続される様になっている。
【０００４】
又、前記ユニット８は、箱型のユニットケース９、該ユニットケース９の前面に取付けられたフロントパネル部１１を有し、該ユニットケース９内に図示しない配線基板等の発熱部品が実装されている。前記ユニット８の背面には前記バックボードのコネクタと結合するコネクタ（図示せず）が設けられ、前記フロントパネル部１１は前記筐体１の前面に取付けられる様、前記ユニットケース９より上下に突出し、前記筐体１の前面開口部の高さより高くなっている。又、前記ユニットケース９の上面には、該ユニットケース９内の発熱部品から発せられる熱を放出する為のスリット状の通風孔１２が所定のピッチで穿設され、下面にも同様に通風孔（図示せず）が穿設されると共に、幅方向（左右方向）中央付近には、前後に延びる上レール部１４及び下レール部１５が取付けられ、該レール部１４，１５は所定箇所（図中では３箇所）がレール固定ネジ１６によって螺子止めされている。
【０００５】
上記した従来の前記ユニット８の場合、前記レール部１４，１５が前記通風孔１２，１２を塞ぐ構造となり、前記ユニットケース９内に高発熱部品が実装される構成の場合、前記通風孔１２，１２の面積が前記レール部１４，１５により減少され、通風が阻害され放熱性能が低下する虞れがある。特に、前記ユニット８の幅方向の寸法が小さく、幅の短い構造のユニット８の場合、前記レール部１４，１５によって前記通風孔１２，１２の半分程が塞がれることもある為、放熱が充分に行われないという問題があった。
【０００６】
又、前記ユニットケース９と、該ユニットケース９に取付けられる前記レール部１４，１５、及び該レール部１４，１５を固定する前記レール固定ネジ１６は別部品である為、前記ユニット８の簡素化及び取付け工数の減少が難しく、原価高となる場合があった。
【先行技術文献】
【特許文献】
【０００７】
【特許文献１】特開２００３−６９２５８号公報
【発明の概要】
【発明が解決しようとする課題】
【０００８】
本発明は斯かる実情に鑑み、電子機器ユニットの放熱性能を向上させると共に、該ユニットの簡素化を図ることで部品点数の削減及び取付け工数の低減を可能とする電子機器ユニットの構造を提供するものである。
【課題を解決するための手段】
【０００９】
本発明は、筐体に実装される電子機器ユニットであって、該電子機器ユニットの少なくとも上面に形成された通風孔と、少なくとも上面側縁部に設けられ、前記筐体側のレール受けと嵌合するレール部とを具備する電子機器ユニットの構造に係るものである。
【発明の効果】
【００１０】
本発明によれば、筐体に実装される電子機器ユニットであって、該電子機器ユニットの少なくとも上面に形成された通風孔と、少なくとも上面側縁部に設けられ、前記筐体側のレール受けと嵌合するレール部とを具備するので、該レールが前記通風孔からの放熱を妨げず、前記電子機器ユニットの放熱性能が向上するという優れた効果を発揮する。
【図面の簡単な説明】
【００１１】
【図１】本発明の第１の実施例に於ける筐体及びユニットの斜視図である。
【図２】本発明の第１の実施例に於ける筐体の正面図である。
【図３】本発明の第１の実施例に於けるユニットを示す図であり、（Ａ）はユニットの平面図を示し、（Ｂ）はユニットの側面図を示し、（Ｃ）はユニットの背面図を示し、（Ｄ）はユニットの底面図を示している。
【図４】本発明の第１の実施例に於けるユニットの変形例を示す図であり、（Ａ）はユニットの平面図を示し、（Ｂ）はユニットの側面図を示し、（Ｃ）はユニットの背面図を示している。
【図５】本発明の第２の実施例に於ける筐体及びユニットの斜視図である。
【図６】本発明の第２の実施例に於ける筐体の正面図である。
【図７】本発明の第２の実施例に於けるユニットを示す図であり、（Ａ）はユニットの平面図を示し、（Ｂ）はユニットの側面図を示し、（Ｃ）はユニットの背面図を示し、（Ｄ）は（Ｂ）のＡ−Ａ矢視図を示している。
【図８】本発明の第３の実施例に於ける筐体及びユニットの斜視図である。
【図９】本発明の第３の実施例に於けるユニットを示す図であり、（Ａ）はユニットの平面図を示し、（Ｂ）はユニットの側面図を示し、（Ｃ）はユニットの背面図を示し、（Ｄ）は（Ｂ）のＢ−Ｂ矢視図を示している。
【図１０】従来の筐体及びユニットの斜視図である。
【図１１】従来の筐体の正面図である。
【図１２】従来のユニットを示す図であり、（Ａ）はユニットの平面図を示し、（Ｂ）はユニットの側面図を示し、（Ｃ）はユニットの背面図を示している。
【発明を実施するための形態】
【００１２】
以下、図面を参照しつつ本発明の実施例を説明する。
【００１３】
先ず、図１〜図３に於いて、本発明の第１の実施例について説明する。尚、図１〜図３中、図１０〜図１２中と同等のものには同符号を付し、その説明を省略する。又、図１に於いて、ユニットの装脱方向を前後方向、装脱方向に対して手前が前、装脱方向に対して右側を右とする。
【００１４】
筐体１は前面及び背面が開放された箱体であり、背面にはコネクタが実装されたバックボード（図示せず）が取付けられている。天板４の下面には前後方向に延びるレール受け１９が左右方向に所定のピッチで取付けられ、該レール受け１９を介してユニット８を前面から挿入可能であり、前記筐体１は前記ユニット８を複数個実装可能となっている。尚、前記ピッチはフロントパネル部１１（後述）の幅寸法（左右方向の寸法）と略同一となっている。
【００１５】
該ユニット８の背面にはコネクタ（図示せず）が設けられ、前記ユニット８を前記筐体１に実装することで、前記コネクタとバックボードに設けられたコネクタ（図示せず）とが結合し、前記ユニット８内部の配線基板等と前記バックボードとが電気的に接続される。
【００１６】
前記ユニット８の前面には前記フロントパネル部１１が取付けられ、該フロントパネル部１１は前記筐体１の前面に取付けられる様ユニットケース９より上下に突出し、前記筐体１の前面開口部の高さより高くなっている。又、前記ユニットケース９の上面にはスリット状の通風孔１２が所定のピッチで穿設され、該通風孔１２により、前記ユニットケース９内に実装される配線基板等の発熱体からの熱を放出する様になっている。
【００１７】
又、前記ユニットケース９上面の一方の側縁に沿って、即ち前記通風孔１２から外れた位置で前記ユニットケース９の前後に延びる上レール部２２が取付けられ、該上レール部２２は所定箇所（図３（Ａ）中では３箇所）がレール固定ネジ２３によって螺子止めされている。尚、前記上レール部２２は前記レール受け１９と摺動自在に嵌合し、又前記ユニット８を実装位置に位置決めする様になっている。
【００１８】
前記ユニット８を前記筐体１に実装する際には、前記上レール部２２を前記レール受け１９に嵌合させ、該レール受け１９に沿って前記ユニット８を前記筐体１に挿入することで、図示しないコネクタ同士が結合し、前記ユニット８が前記筐体１に実装される。
【００１９】
上述の様に、前記上レール部２２を前記ユニット８上面の側縁に設けたので、該上レール部２２が前記通風孔１２を塞ぐことがなく、前記上レール部２２が前記通風孔１２を塞ぐことによる前記ユニット８の放熱性能の低下を防止することができる。又、該ユニット８の幅方向の寸法が小さく、通風孔の寸法が短いユニットの場合でも、該ユニット上面の通風孔を有効に活用でき、放熱性能を向上させることができる。
【００２０】
尚、前記レール受け１９及び前記上レール部２２を金属製とすることで、前記ユニット８から前記筐体１へのアースを取ることができる。
【００２１】
図４は、第１の実施例の変形例を示している。尚、図４中、下面は上面と対称に現れるので図示を省略している。該変形例では下面にもスリット状の通風孔１２（図示せず）が所定のピッチで穿設され、又下面の側縁にも前後に延びる下レール部２５が取付けられている。
【００２２】
ユニット８を筐体１（図２参照）に実装する際には、天板４に設けられたレール受け１９、及び棚板３に前記レール受け１９と相対向する様設けられたレール受け（図示せず）に、レール部２２，２５を嵌合させ、前記レール受けに沿って前記ユニット８を前記筐体１に挿入することで、図示しないコネクタ同士が結合し、又フロントパネル部１１を前記筐体１に固定することで、前記ユニット８が前記筐体１に実装される。
【００２３】
第１の実施例の変形例では、前記ユニットケース９の上面及び下面に前記通風孔１２，１２を穿設し、前記レール部２２，２５を上面及び下面の側縁に設けたので、該レール部２２，２５が前記通風孔１２，１２を塞がず、前記ユニット８の放熱性能を向上させることができる。又、前記レール部２２，２５を前記ユニット８の上面及び下面の２箇所に設けたので、該ユニット８を安定した状態で挿入することができ、作業性が向上する。
【００２４】
次に、図５〜図７に於いて、本発明の第２の実施例について説明する。尚、図５〜図７中、図１〜図３中と同等のものには同符号を付し、その説明を省略する。又、図５中、ユニットの装脱方向を前後方向、装脱方向に対して手前が前、装脱方向に対して右側を右とする。
【００２５】
第２の実施例では、ユニットケース９の左右何れか一方の側板、図示では左側板２８の上端部及び下端部を前記ユニットケース９の上面及び下面より突出させ、突出した上端部及び下端部によって、上レール部３１及び下レール部３２を形成している。
【００２６】
尚、前記左側板２８の上下方向の寸法は、前記ユニットケース９前面に取付けられるフロントパネル部１１の上下方向の寸法よりも小さくなっており、前記レール部３１，３２が前記フロントパネル部１１の上端及び下端から突出しない様になっている。
【００２７】
又、筐体１の天板４の下面と棚板３の上面には相対向する様にレール受け３３，３４が、前記レール部３１，３２と嵌合可能に設けられ、前記レール受け３３，３４に前記レール部３１，３２を嵌合させ、前記レール受け３３，３４に沿って前記ユニット８を前記筐体１に挿入することで、前記ユニット８の背面に設けられたコネクタ（図示せず）と前記筐体１の図示しないバックボードに設けられたコネクタとが結合し、前記バックボードと前記ユニット８とが電気的に接続される。
【００２８】
上述の様に、前記左側板２８を前記ユニットケース９の上面及び下面から突出させ、突出部を前記レール部３１，３２としたので、該レール部３１，３２を別途設ける必要がなく、又該レール部３１，３２は前記ユニットケース９の上面、下面には取付けられないので、該レール部３１，３２が通風孔１２，１２を塞ぎ、該通風孔１２，１２からの放熱を妨げることがなく、ユニットの幅方向の寸法が小さく、幅の短い構造の場合でも、該ユニットの上面及び下面の通風孔を有効に活用でき、放熱性能を向上させることができる。
【００２９】
又、前記左側板２８の上端部及び下端部を前記レール部３１，３２とし、前記ユニット８の側板とレールとを一体構造としたので、部品としてのレールは不要であり、更にレールを前記ユニットケース９に取付ける為のレール固定ネジが不要である。従って、部品点数の削減ができ、コストの削減を図ると共に、レールを後付けする必要がないので、取付け工数を減らすことができ、作業労力の低減を図ることができる。
【００３０】
尚、前記レール受け３３，３４及び前記左側板２８を金属製とすることで、前記ユニット８から前記筐体１へのアースを取ることができる。
【００３１】
次に、図８、図９に於いて、本発明の第３の実施例について説明する。尚、図８、図９中、図１〜図３中と同等のものには同符号を付し、その説明を省略する。又、図８中、ユニットの装脱方向を前後方向、装脱方向に対して手前が前、装脱方向に対して右側を右とする。
【００３２】
第３の実施例に於けるユニット８は、ユニットケース９の左側板２８及び右側板３５を前記ユニットケース９の上面及び下面からそれぞれ突出させた形状となっている。
【００３３】
前記右側板３５の外形形状は、左側板２８の外形形状と同一であり、前記ユニットケース９の上面及び下面から突出した前記左側板２８の上端部及び下端部が、それぞれ上レール部３１及び下レール部３２を形成し、前記ユニットケース９の上面及び下面から突出した前記右側板３５の上端部及び下端部は、それぞれ上レール部３６部及び下レール部３７を形成している。
【００３４】
天板４の下面及び棚板３の上面の、前記レール部３１，３２及び前記レール部３６，３７と対応する位置にそれぞれレール受け（図示せず）が設けられ、該レール受けは前記レール部３１，３２及び前記レール部３６，３７と嵌合可能であり、前記レール受けに沿って前記ユニット８を挿入し、該ユニット８のコネクタ（図示せず）と前記筐体１の背面に取付けられたバックボードのコネクタ（図示せず）を結合することで、前記ユニット８と前記バックボードとが電気的に接続される。
【００３５】
上述の様に、前記ユニットケース９の上面及び下面より突出する前記左側板２８の上端部及び下端部を前記レール部３１，３２とし、上面及び下面より突出する前記右側板３５の上端部及び下端部を前記レール部３６，３７としたので、前記レール部３１，３２及び前記レール部３６，３７は前記ユニット８上面及び下面の両側縁部に形成されることとなり、前記レール部３１，３２及び前記レール部３６，３７により通風孔１２，１２が塞がれることがなく、前記ユニット８の放熱性能が向上する。
【００３６】
又、該ユニット８の上面及び下面の両側縁部にレール部を形成したので、前記ユニット８を前記筐体１に実装する際、及び実装した後の安定性を向上させることができる。
【００３７】
尚、図示しないレール受け及び前記左側板２８、前記右側板３５を金属製とすることで、前記ユニット８から前記筐体１へのアースをとることができる。又、金属製とするのは、前記左側板２８と前記右側板３５の何れか一方であってもよい。
【００３８】
（付記）
又、本発明は以下の実施の態様を含む。
【００３９】
（付記１）筐体に実装される電子機器ユニットであって、該電子機器ユニットの少なくとも上面に形成された通風孔と、少なくとも上面側縁部に設けられ、前記筐体側のレール受けと嵌合するレール部とを具備することを特徴とする電子機器ユニットの構造。
【００４０】
（付記２）前記レール部が前記電子機器ユニットの下面側縁部に設けられた付記１の電子機器ユニットの構造。
【００４１】
（付記３）前記レール部が前記電子機器ユニット側面のパネルと一体構造となっている付記１又は付記２の電子機器ユニットの構造。
【００４２】
（付記４）前記レール部が前記電子機器ユニットの上面及び下面の両側縁部に設けられた付記２又は付記３の電子機器ユニットの構造。
【００４３】
（付記５）前記レール部を金属製とした付記１〜付記４の電子機器ユニットの構造。
【符号の説明】
【００４４】
１              筐体
８              ユニット
１２            通風孔
２２            上レール部
２５            下レール部
２８            左側板
３１            上レール部
３２            下レール部
３５            右側板
３６            上レール部
３７            下レール部
【図１】
2011249443.tif 000003
【図２】
2011249443.tif 000004
【図３】
2011249443.tif 000005
【図４】
2011249443.tif 000006
【図５】
2011249443.tif 000007
【図６】
2011249443.tif 000008
【図７】
2011249443.tif 000009
【図８】
2011249443.tif 000010
【図９】
2011249443.tif 000011
【図１０】
2011249443.tif 000012
【図１１】
2011249443.tif 000013
【図１２】
2011249443.tif 000014